(57)【要約】【課題】外部から通信機器ならびに情報機器を介して電気殺虫・防虫器を遠隔操作するにあたり、情報機器と無線通信手段を介在させて遠隔操作を可能とし確実に蚊の刺咬被害を防止しえる電気殺虫・防虫器用遠隔操作装置、及び電気殺虫・防虫器の遠隔操作方法の提供。【課題の解決手段】外部の通信機器から発信された操作信号を受信しこの操作信号に応じた駆動指令信号を送信する情報機器を介する遠隔操作装置であって、前記駆動指令信号を受信するための無線通信手段を電気殺虫・防虫器に備えた電気殺虫・防虫器用遠隔操作装置、及び電気殺虫・防虫器の遠隔操作方法。【選択図】    図１
2004267143.tif 000002
【特許請求の範囲】
【請求項１】
外部の通信機器から発信された操作信号を受信しこの操作信号に応じた駆動指令信号を送信する情報機器を介する遠隔操作装置であって、前記駆動指令信号を受信するための無線通信手段を電気殺虫・防虫器に備えたことを特徴とする電気殺虫・防虫器用遠隔操作装置。
【請求項２】
情報機器は、無線通信手段から発信された電気殺虫・防虫器の動作状態に関する情報を受信し外部の通信機器に送信することを特徴とする請求項１に記載の電気殺虫・防虫器用遠隔操作装置。
【請求項３】
電気殺虫・防虫器に備えられた無線通信手段が、ＩＣチップであることを特徴とする請求項１又は２に記載の電気殺虫・防虫器用遠隔操作装置。
【請求項４】
外部の通信機器から発信された操作信号を受信しこの操作信号に応じた駆動指令信号を送信する情報機器を介する遠隔操作方法であって、電気殺虫・防虫器に無線通信手段を備え、前記駆動指令信号を受信するように構成したことを特徴とする電気殺虫・防虫器の遠隔操作方法。
【請求項５】
情報機器は、無線通信手段から発信された電気殺虫・防虫器の動作状態に関する情報を受信し外部の通信機器に送信することを特徴とする請求項４に記載の電気殺虫・防虫器の遠隔操作方法。
【請求項６】
電気殺虫・防虫器に備えられた無線通信手段が、ＩＣチップであることを特徴とする請求項４又は５に記載の電気殺虫・防虫器の遠隔操作方法。
【発明の詳細な説明】
【０００１】
【発明が属する技術分野】
本発明は、電気殺虫・防虫器用遠隔操作装置ならびに電気殺虫・防虫器の遠隔操作方法に関するものである。
【０００２】
【従来の技術】
電気殺虫・防虫器が室内の使用場面で高い殺虫・防虫効果を発揮するには、放散される殺虫・防虫成分の気中濃度が一定の濃度以上になることが必要である。このため人間が室内に入る前から電気殺虫・防虫器を作動させるのが好ましいが、通常帰宅してから電気殺虫・防虫器のスイッチを入れるのが一般的である。その結果、殺虫・防虫成分の気中濃度が高まるまで時間がかかり、殺虫・防虫効果を発揮する前に、既に侵入していた害虫等に刺咬されることがあった。
【０００３】
ところで、最近のパーソナルコンピューター又は携帯電話の普及に伴い、外出先から情報機器を用いて家庭用電化製品を作動させる方法が提案されている（例えば、特開平７−３２１９４２号や特開２００１−８６５７０号公報）。しかしながら、情報機器と電気殺虫・防虫器に無線通信手段を介在させて適用したものはなかった。
【０００４】
【特許文献１】
特開平７−３２１９４２号
【特許文献２】
特開２００１−８６５７０号
【０００５】
【発明が解決しようとする課題】
そこで、本発明は、外部から通信機器ならびに情報機器を介して電気殺虫・防虫器を遠隔操作するにあたり、情報機器と無線通信手段を介在させて遠隔操作を可能とし確実に蚊の刺咬被害を防止しえる電気殺虫・防虫器用遠隔操作装置、及び電気殺虫・防虫器の遠隔操作方法を提供することを目的とする。
【０００６】
【課題を解決するための手段及び発明の実施の形態】
すなわち、請求項１の発明は、外部の通信機器から発信された操作信号を受信しこの操作信号に応じた駆動指令信号を送信する情報機器を介する遠隔操作装置であって、前記駆動指令信号を受信するための無線通信手段を電気殺虫・防虫器に備えた電気殺虫・防虫器用遠隔操作装置に関するものである。
【０００７】
本発明で外部から操作信号を発信する通信機器としては、広く普及している携帯電話機、ＰＨＳ又は自室外に設置されているパーソナルコンピューター等があげられ、電子メール送信又は架電により情報機器に操作信号が送出される。
【０００８】
情報機器は、屋内に設けられたパーソナルコンピューター又はアクセスポイント等であり、受信した操作信号が電気殺虫・防虫器の作動開始指令であるか否かを認識する。そして、作動開始指令の信号であれば、電気殺虫・防虫器に備えられた無線通信手段に駆動指令信号を送信する。
【０００９】
情報機器と電気殺虫・防虫器を介する無線通信手段としては、ＩＣチップや無線ＬＡＮを用いることができる。無線通信手段が駆動指令信号を受信すると、電気殺虫・防虫器に内蔵されているスイッチ回路がオンとなり、電気殺虫・防虫器が殺虫・防虫成分の放散を開始する。
【００１０】
更に、作動を開始した電気殺虫・防虫器は、無線通信手段を介して情報機器に動作状態を送信し、情報機器は外部の通信機器にその情報を送信するしくみとなっている。すなわち、電気殺虫・防虫器の動作状態を外部の通信機器である携帯電話機、ＰＨＳ又はパーソナルコンピューター等により知り得ることができ、指令の確認を得ることができる。
【００１１】
このように、本発明の電気殺虫・防虫器用遠隔操作装置は、電気殺虫・防虫器に無線通信手段を備え、スイッチ回路を内蔵させたことを特徴とするものである。
無線通信手段として用いる例えばＩＣチップや無線ＬＡＮの形状や仕様は特に限定されないが、小型化されたものが好ましい。
【００１２】
電気殺虫・防虫器の殺虫・防虫成分放散機能に係る構成については、従来市販器具に準じてよく、例えば、電気蚊取マット器具（１日用、長時間用）、液体電気蚊取器具（３０〜３５日用、６０日用等）、ファン式蚊取器具（２４０時間用、３６０時間用、７２０時間用等）を例示できる。
ここで、電気蚊取マットは、殺虫・防虫成分を含浸させた繊維質製マットを放熱板上に載置して加熱し、一方液体電気蚊取は、薬液中に吸液芯を浸漬し芯上部を加熱して殺虫・防虫成分を蒸散させるもので、また、ファン式蚊取は、薬剤含浸体を好ましくは回転させ、ファンなどの風力により常温で殺虫・防虫成分を揮散させるものである。なお、殺虫・防虫成分としては、アレスリン、フラメトリン、プラレトリン、エムペントリン、トランスフルトリン、メトフルトリンなどのピレスロイド系化合物が一般的に使用される。
【００１３】
電気殺虫・防虫器の他、ＩＣチップ又は無線ＬＡＮカードを、電気芳香器、電気消臭器、電気脱臭器、電気除湿器等にも備え、多目的遠隔操作装置とすることもできる。
【００１４】
請求項２の発明は、請求項１の電気殺虫・防虫器用遠隔操作装置において、情報機器が、無線通信手段から発信された電気殺虫・防虫器の動作状態に関する情報を受信し外部の通信機器に送信する機能も具備したものである。
【００１５】
請求項３の発明は、請求項１又は２の電気殺虫・防虫器用遠隔操作装置において、  電気殺虫・防虫器に備えられた無線通信手段として、ＩＣチップを用いたものである。
【００１６】
請求項４ないし６の発明は、請求項１ないし３の電気殺虫・防虫器用遠隔操作装置を用いた電気殺虫・防虫器の遠隔操作方法を提供するものである。
【００１７】
かかる本発明によれば、外出先から遠隔操作により電気殺虫・防虫器の作動を開始させ、帰宅時までに室内の殺虫・防虫成分気中濃度を高めることができるので、蚊等の刺咬被害を確実に防ぐことができる。
【００１８】
【実施例】
次に、具体的実施例に基づいて、本発明を更に詳細に説明する。
図１は、本発明の電気殺虫・防虫器用遠隔操作装置の一実施形態のブロック図を示す。
【００１９】
実施例１
ＩＣチップとスイッチ回路を備えた液体電気蚊取器具に、ｄ−Ｔ８０−フラメトリン１．３％と界面活性剤及び水からなる薬液４５ｍＬを含み吸液芯が嵌挿されたプラスチックボトルを装填した。この液体電気蚊取器具を、閉め切った６畳の部屋の中央に置いて外出した。
帰宅の３時間前に、携帯電話機で作動開始指令の電子メールを自宅に設置しているパーソナルコンピューターに発信したところ、パーソナルコンピューターは、受信した電子メールが電気蚊取器を作動させる指令であることを認識し、駆動指令信号を液体電気蚊取器具に備えられたＩＣチップに送信した。その結果、液体電気蚊取器具に配設されているスイッチ回路がオンとなって薬液の蒸散が開始し、帰宅時には室内の殺虫・防虫成分気中濃度は蚊の刺咬を防除するのに有効な程度にまで高まっていた。
【００２０】
実施例２
実施例１の液体電気蚊取器具の替わりに、ファン式蚊取器具（ＩＣチップの替わりに無線ＬＡＮカードを具備）を用いた。このファン式蚊取器具は、平均外径が約３ｍｍのセルロース系担体［製品名：ビスコパール（レンゴー株式会社製）］１．２ｇに、メトフルトリン１００ｍｇを含む灯油溶液を含浸させ、これを通気性カートリッジに収納し、遠心力と風力でメトフルトリンを揮散させるタイプである。
実施例１と同様に遠隔操作したところ、作動開始指令どおり、メトフルトリンの揮散を開始させることができた。更に、ファン式蚊取器具は、その動作状態の情報を無線ＬＡＮカードとパーソナルコンピューターを介して電子メールで携帯電話機に送信してきたので、外出先でも状況を確認することができた。
【００２１】
【発明の効果】
本発明によれば、外出先から遠隔操作により電気殺虫・防虫器の作動を開始させ、人が室内に入る前に殺虫・防虫成分気中濃度を高めることができるので、蚊等の刺咬被害を確実に防ぐことができる。
【図面の簡単な説明】
【図１】図１は、本発明の電気殺虫・防虫器用遠隔操作装置の一実施形態のブロック図を示す。
【図１】
2004267143.tif 000003